(57)【要約】【課題】建物内での有害物質の拡散防止。【解決手段】建物内に複数の居室と、居室内の空気調和を行う空調装置の室内ユニットとを備えた空調システムを対象としている。建物内に設けられ、且つ所定の有害物質を検知する居室用検知センサまたは通路用検知センサと、居室用検知センサまたは通路用検知センサが有害物質を検知すると、建物内の全空調を停止するように室内ユニットを制御するコントローラとを備えている。【選択図】図３
2010007925.tif 000002
【特許請求の範囲】
【請求項１】
建物内に居室（Ａ〜Ｍ）と、少なくとも上記居室（Ａ〜Ｍ）内の空気調和を行う空調手段（10）とを備えた空調システムであって、
上記建物内に設けられ、且つ所定の有害物質を検知する検知手段（12,22）と、
該検知手段（12,22）が、上記所定の有害物質を検知すると、上記建物内の全空調が停止するように上記空調手段（10）を制御する制御手段（30）とを備えている
ことを特徴とする空調システム。
【請求項２】
請求項１において、
上記建物内を換気する換気手段（11,21）を備え、
上記制御手段（30）は、上記検知手段（12,22）の検知結果に基づいて上記空調手段（10）と共に上記換気手段（11,21）を制御する
ことを特徴とする空調システム。
【請求項３】
請求項２において、
上記建物内の居室は、複数の居室（Ａ〜Ｍ）に区画され、
上記検知手段（12,22）は、上記複数の居室（Ａ〜Ｍ）のそれぞれに少なくとも１つ設けられる居室用検知手段（12）を有する一方、
上記換気手段（11,21）は、上記複数の居室（Ａ〜Ｍ）のそれぞれに少なくとも１つ設けられ、且つ該各居室（Ａ〜Ｍ）内を換気する居室換気手段（11）を有し、
上記制御手段（30）は、上記所定の有害物質を検知した居室用検知手段（12）が設けられた居室（Ｍ）内で、該居室用検知手段（12）に最も近設する一の居室換気手段（11）を制御して、該居室（Ｍ）内の空気を排気する一方、他の居室換気手段（11）を制御して、居室（Ａ〜Ｍ）内に空気を供給する
ことを特徴とする空調システム。
【請求項４】
請求項３において、
上記建物内には通行のための通路（Ｎ）が設けられ、
上記換気手段（11,21）は、上記通路（Ｎ）内を換気する複数の通路換気手段（21）を有し、
上記制御手段（30）は、上記複数の通路換気手段（21）のうち、上記所定の有害物質を検知した居室用検知手段（12）が設けられた居室（Ｍ）の出入口（ｍ）に最も近設する一の通路換気手段（21）を制御して、上記通路（Ｎ）内の空気を排気する一方、他の通路換気手段（21）を制御して、上記通路（Ｎ）内に空気を供給する
ことを特徴とする空調システム。
【請求項５】
請求項２において、
上記建物内には通行のための通路（Ｎ）が設けられ、
上記検知手段（12,22）は、上記通路（Ｎ）内に設けられる複数の通路用検知手段（22）を有する一方、
上記換気手段（11,21）は、上記通路（Ｎ）内を換気する複数の通路換気手段（21）を有し、
上記制御手段（30）は、上記複数の通路換気手段（21）のうち、上記所定の有害物質を検知した通路用検知手段（22）に最も近設する一の通路換気手段（21）を制御して、上記通路（Ｎ）内の空気を排気する一方、他の通路換気手段（21）を制御して、上記通路（Ｎ）内に空気を供給する
ことを特徴とする空調システム。
【請求項６】
請求項５において、
上記建物内の居室は、複数の居室（Ａ〜Ｍ）に区画され、
上記換気手段（11,21）は、上記複数の居室（Ａ〜Ｍ）のそれぞれに少なくとも１つ設けられ、且つ該各居室（Ａ〜Ｍ）内を換気する居室換気手段（11）を有し、
上記制御手段（30）は、上記通路用検知手段（22）が上記所定の有害物質を検知すると、上記全ての居室換気手段（11）を制御して、上記各居室（Ａ〜Ｍ）内に空気を供給する
ことを特徴とする空調システム。
【発明の詳細な説明】
【技術分野】
【０００１】
本発明は、空調システムに関し、特に、有害物質の拡散防止対策に係るものである。
【背景技術】
【０００２】
昨今、特定の施設を狙った有害な生物化学的物質による攻撃が懸念されている。
【０００３】
このような攻撃に対して、特許文献１では、居住区域に送る空気を、フィルタ付きのバイパス空気通路に通過させる空調装置が開示されている。この空調装置では、空気汚染が発生すると、空調装置内において、空気配管がバイパス空気通路を経由するように切り換わることで、汚染された空気をバイパス空気通路に通過させるようにしている。つまり、バイパス空気通路に設けられるフィルタによって汚染された空気に含まれる有害物質を除去するようにしている。これにより、居住区内に送られる空気が汚染されるのを防止するようにしている。
【特許文献１】特開昭６１−４９９４７号公報
【発明の開示】
【発明が解決しようとする課題】
【０００４】
しかしながら、上記特許文献１に示すような、ダクト内を流通する汚染空気をフィルタに通過させた後に居室内に供給する従来の空調装置では、建物内の居室や通路において生物化学的物質が検出されても、該生物化学的物質が同一フロアの居室内や通路内に拡散するのを防止することができないという問題があった。
【０００５】
本発明は、斯かる点に鑑みてなされたものであり、建物内の有害物質の拡散を防止することを目的とする。
【課題を解決するための手段】
【０００６】
第１の発明は、建物内に居室（Ａ〜Ｍ）と、少なくとも上記居室（Ａ〜Ｍ）内の空気調和を行う空調手段（10）とを備えた空調システムであって、上記建物内に設けられ、且つ所定の有害物質を検知する検知手段（12,22）と、該検知手段（12,22）が、上記所定の有害物質を検知すると、上記建物内の全空調が停止するように上記空調手段（10）を制御する制御手段（30）とを備えている。
【０００７】
上記第１の発明では、検知手段（12,22）が所定の有害物質を検知すると、制御手段（30）が空調手段（10）を制御して全空調動作を停止する。空調動作が停止すると、建物内で空気が循環しなくなる。
【０００８】
第２の発明は、上記第１の発明において、上記建物内を換気する換気手段（11,21）を備え、上記制御手段（30）は、上記検知手段（12,22）の検知結果に基づいて上記空調手段（10）と共に上記換気手段（11,21）を制御する。
【０００９】
上記第２の発明では、検知手段（12,22）が所定の有害物質を検知すると、制御手段（30）が空調手段（10）を制御して全空調動作を停止する。空調動作が停止すると、建物内で空気が循環しなくなる。そして、制御手段（30）が換気手段（11,21）を動作させて上記有害物質を排気する。
【００１０】
第３の発明は、上記第２の発明において、上記建物内の居室は、複数の居室（Ａ〜Ｍ）に区画され、上記検知手段（12,22）は、上記複数の居室（Ａ〜Ｍ）のそれぞれに少なくとも１つ設けられる居室用検知手段（12）を有する一方、上記換気手段（11,21）は、上記複数の居室（Ａ〜Ｍ）のそれぞれに少なくとも１つ設けられ、且つ該各居室（Ａ〜Ｍ）内を換気する居室換気手段（11）を有し、上記制御手段（30）は、上記所定の有害物質を検知した居室用検知手段（12）が設けられた居室（Ｍ）内で、該居室用検知手段（12）に最も近設する一の居室換気手段（11）を制御して、該居室（Ｍ）内の空気を排気する一方、他の居室換気手段（11）を制御して、居室（Ａ〜Ｍ）内に空気を供給する。
【００１１】
上記第３の発明では、居室（Ｍ）内で居室用検知手段（12）が所定の有害物質を検知すると、上記居室（Ｍ）内の上記有害物質を検知した居室用検知手段（12）に最も近設する一の居室換気手段（11）が排気動作を行う。居室（Ｍ）内の空気と共に、有害物質が居室（Ｍ）の外部へ排気される。そして、他の居室換気手段（11）は、各居室（Ａ〜Ｍ）内に空気を供給する。有害物質が検知された居室（Ｍ）内に空気が供給されると、供給された空気が排気動作を行う上記一の居室換気手段（11）側へ流れて有害物質と共に外部へ排気される。つまり、居室（Ｍ）内で有害物質が拡散しない。一方、有害物質が検知されなかった居室（Ａ〜Ｌ）では、空気を供給すると、居室（Ａ〜Ｌ）内の空気圧力が、居室（Ａ〜Ｌ）の外部の空気圧力よりも高くなるため、居室（Ａ〜Ｌ）内に外部から空気が流入しない。このため、居室（Ａ〜Ｌ）内に有害物質が流入しない。
【００１２】
第４の発明は、上記第３の発明において、上記建物内には通行のための通路（Ｎ）が設けられ、上記換気手段（11,21）は、上記通路（Ｎ）内を換気する複数の通路換気手段（21）を有し、上記制御手段（30）は、上記複数の通路換気手段（21）のうち、上記所定の有害物質を検知した居室用検知手段（12）が設けられた居室（Ｍ）の出入口（ｍ）に最も近設する一の通路換気手段（21）を制御して、上記通路（Ｎ）内の空気を排気する一方、他の通路換気手段（21）を制御して、上記通路（Ｎ）内に空気を供給する。
【００１３】
上記第４の発明では、居室（Ｍ）内で居室用検知手段（12）が所定の有害物質を検知すると、上記有害物質を検知した居室用検知手段（12）が設けられた居室（Ｍ）の出入口（ｍ）に最も近設する一の通路換気手段（21）が、上記通路（Ｎ）内の空気を排気する。有害物質が検知された居室（Ｍ）では、出入口（ｍ）から通路（Ｎ）側に有害物質が流出することがある。流出した有害物質は、出入口（ｍ）から最も近い一の通路換気手段（21）によって空気と共に建物の外部に排出される。そして、他の通路換気手段（21）は、上記通路（Ｎ）内に空気を供給する。通路（Ｎ）内に空気が供給されると、供給された空気が排気動作を行う上記一の通路換気手段（21）側へ流れて有害物質と共に建物の外部へ排出される。
【００１４】
第５の発明は、上記第２の発明において、上記建物内には通行のための通路（Ｎ）が設けられ、上記検知手段（12,22）は、上記通路（Ｎ）内に設けられる複数の通路用検知手段（22）を有する一方、上記換気手段（11,21）は、上記通路（Ｎ）内を換気する複数の通路換気手段（21）を有し、上記制御手段（30）は、上記複数の通路換気手段（21）のうち、上記所定の有害物質を検知した通路用検知手段（22）に最も近設する一の通路換気手段（21）を制御して、上記通路（Ｎ）内の空気を排気する一方、他の通路換気手段（21）を制御して、上記通路（Ｎ）内に空気を供給する。
【００１５】
上記第５の発明では、通路（Ｎ）内で通路用検知手段（22）が所定の有害物質を検知すると、上記有害物質を検知した通路検知手段（12,22）に最も近設する一の通路換気手段（21）が、上記通路内の空気を排気する。通路（Ｎ）内の有害物質は、検知した通路用検知手段（22）から最も近い一の通路換気手段（21）によって空気と共に外部に排出される。そして、他の通路換気手段（21）は、上記通路（Ｎ）内に空気を供給する。通路（Ｎ）内に空気が供給されると、供給された空気が排気動作を行う上記一の通路換気手段（21）側へ流れて有害物質と共に外部へ排出される。
【００１６】
第６の発明は、上記第５の発明において、上記建物内の居室は、複数の居室（Ａ〜Ｍ）に区画され、上記換気手段（11,21）は、上記複数の居室（Ａ〜Ｍ）のそれぞれに少なくとも１つ設けられ、且つ該各居室（Ａ〜Ｍ）内を換気する居室換気手段（11）を有し、上記制御手段（30）は、上記通路用検知手段（22）が上記所定の有害物質を検知すると、上記全ての居室換気手段（11）を制御して、上記各居室（Ａ〜Ｍ）内に空気を供給する。
【００１７】
上記第６の発明では、通路（Ｎ）内で通路用検知手段（22）が所定の有害物質を検知すると、全ての居室換気手段（11）が、各居室（Ａ〜Ｍ）内に空気を供給する。空気を供給すると、居室（Ａ〜Ｍ）内の空気圧力が、居室（Ａ〜Ｍ）の外部の空気圧力よりも高くなるため、居室（Ａ〜Ｍ）内に外部から空気が流入しない。このため、通路（Ｎ）内の有害物質が居室（Ａ〜Ｍ）内に流入することはない。
【発明の効果】
【００１８】
上記第１の発明によれば、検知手段（12,22）が有害物質を検知すると、空調手段（10）が建物内の全空調を停止するようにしたため、建物内の空気の循環を無くすことができる。これにより、循環する空気に混じって有害物質が建物内に拡散するのを確実に防止することができる。
【００１９】
上記第２の発明によれば、検知手段（12,22）が有害物質を検知すると、換気手段（11,21）が建物内を換気するようにしたため、建物内の有害物質を外部に排出することができる。これにより、建物内に有害物質が拡散するのを確実に防止することができる。
【００２０】
上記第３の発明では、居室（Ｍ）内で居室用検知手段（12）が有害物質を検知すると、有害物質を検知した居室用検知手段（12）に最も近い居室換気手段（11）が、居室（Ｍ）内の空気を排気するようにした。このため、有害物質を居室（Ｍ）の外部へ排出することができる。また、居室（Ｍ）内の他の居室換気手段（11）が、該居室（Ｍ）内に空気を供給するようにした。このため、上記他の居室換気手段（11）が供給した空気を、排気動作が行われる上記居室換気手段（11）側へ送ることができる。つまり、供給した空気の空気流れによって、有害物質が居室（Ｍ）内で拡散するのを防止することができる。また、上記居室（Ｍ）以外の他の居室（Ａ〜Ｌ）内の居室換気手段（11）が、各居室（Ａ〜Ｌ）内に空気を供給するようにした。このため、有害物質が検知されなかった居室（Ａ〜Ｌ）内の空気圧力を、居室（Ａ〜Ｌ）の外部の空気圧力よりも高くすることができる。つまり、各居室（Ａ〜Ｌ）内が、いわゆる陽圧状態となるため、該居室（Ａ〜Ｌ）内に有害物質が流入するのを確実に防止することができる。これらにより、建物内に有害物質が拡散するのを確実に防止することができる。
【００２１】
上記第４の発明によれば、居室（Ｍ）内で居室用検知手段（12）が有害物質を検知すると、有害物質を検知した居室（Ｍ）の出入口（ｍ）に最も近い通路換気手段（21）が、通路（Ｎ）内の空気を排気するようにしたため、該居室（Ｍ）から通路（Ｎ）へ流出した有害物質を建物の外部に排出することができる。また、他の通路換気手段（21）によって通路（Ｎ）内に空気を供給するようにしたため、上記他の通路換気手段（21）が供給した空気を、排気動作が行われる上記通路換気手段（21）側へ送ることができる。つまり、供給した空気の空気流れによって、有害物質が通路（Ｎ）内で拡散するのを確実に防止することができる。これらにより、建物内に有害物質が拡散するのを確実に防止することができる。
【００２２】
上記第５の発明によれば、通路（Ｎ）内で通路用検知手段（22）が有害物質を検知すると、有害物質を検知した通路検知手段（12,22）に最も近設する一の通路換気手段（21）が、通路（Ｎ）内の空気を排気するようにしたため、通路（Ｎ）内の有害物質を外部へ排出することができる。また、他の通路換気手段（21）が、通路（Ｎ）内に空気を供給するようにしたため、上記他の通路換気手段（21）が供給した空気を、排気動作が行われる通路換気手段（21）側へ送ることができる。つまり、供給した空気の空気流れによって、有害物質が通路（Ｎ）内で拡散するのを確実に防止することができる。これらにより、建物内に有害物質が拡散するのを確実に防止することができる。
【００２３】
上記第６の発明によれば、通路（Ｎ）内で通路用検知手段（22）が有害物質を検知すると、全ての居室換気手段（11）が、各居室（Ａ〜Ｍ）内に空気を供給するようにしたため、各居室（Ａ〜Ｍ）内の空気圧力を、通路（Ｎ）内の空気圧力よりも高くすることができる。つまり、各居室（Ａ〜Ｍ）内が、いわゆる陽圧状態となるため、該居室（Ａ〜Ｍ）内に有害物質が通路（Ｎ）から流入するのを確実に防止することができる。これらにより、建物内に有害物質が拡散するのを確実に防止することができる。
【発明を実施するための最良の形態】
【００２４】
以下、本発明の実施形態を図面に基づいて詳細に説明する。
【００２５】
本発明による空調システムは、複数の居室に区画されたフロアを有するビルや住宅の空調・換気を行うものである。
【００２６】
図１に示すように、本実施形態に係るビルは、１フロア内に１３の居室（Ａ〜Ｍ）と、通路（Ｎ）とを有している。また、各居室（Ａ〜Ｍ）は、開閉自在な扉（ａ〜ｍ）を介して通路（Ｎ）に通じている。そして、本実施形態に係る空調システム（1）は、図２に示すように、各居室（Ａ〜Ｍ）内および通路（Ｎ）内に設置される各種空調機器と、後述するコントローラ（30）とで構成されている。
【００２７】
上記各居室（Ａ〜Ｍ）は、それぞれが、室内ユニット（10）と、居室用検知センサ（12）と、居室換気ファン（11）とを備えている。尚、この室内ユニット（10）、居室用検知センサ（12）および居室換気ファン（11）は、居室の広さ等に応じてその設置台数が変動する。具体的に、本実施形態は、例えば、居室（Ａ）では、室内ユニット（10）、居室用検知センサ（12）および居室換気ファン（11）がそれぞれ１台ずつ設置されているのに対し、居室（Ｍ）では、室内ユニット（10）、居室用検知センサ（12）および居室換気ファン（11）がそれぞれ３台ずつ設置されている。
【００２８】
上記室内ユニット（10）は、各居室（Ａ〜Ｍ）の空気調和を行う空調手段を構成する多室型空気調和機、いわゆるビル用マルチエアコンの室内ユニットである。
【００２９】
上記ビル用マルチエアコンは、図示はしないが、複数台の室内ユニットを一台の室外ユニットに冷媒配管で接続して蒸気圧縮式冷凍サイクルを構成している。また、各々の室内ユニットは、個別に運転可能に構成されている。
【００３０】
上記室外ユニットは、図示はしないが、内部に圧縮機、室外熱交換器および送風ファンが設置されている。
【００３１】
上記室内ユニット（10）は、図示はしないが、その内部に室内熱交換器および送風ファンとが設置され、各居室（Ａ〜Ｍ）のそれぞれに少なくとも一台設置されている。室内ユニット（10）が設置された各居室（Ａ〜Ｍ）内の空気が室内熱交換器を流れる冷媒と熱交換することで空気調和が行われ、調和された空気が居室（Ａ〜Ｍ）内に供給される。
【００３２】
上記居室換気ファン（11）は、各居室（Ａ〜Ｍ）の換気を行う居室換気手段を構成している。居室換気ファン（11）は、給排気型の換気装置に構成され、各居室（Ａ〜Ｍ）のそれぞれに少なくとも一台が、居室（Ａ〜Ｍ）内の出入口（ａ〜ｍ）に対して奥側に設置されている。この居室換気ファン（11）は、コントローラ（30）に接続されてビルの外部の空気を居室（Ａ〜Ｍ）内に供給する給気動作と、居室（Ａ〜Ｍ）内の空気をビルの外部に排気する排気動作とを切り換えて行うよう構成されている。
【００３３】
上記居室用検知センサ（12）は、居室（Ａ〜Ｍ）内において所定の有害物質を検知する居室用検知手段を構成している。本実施形態に係る居室用検知センサ（12）は、有害物質を検知対象とし、各居室（Ａ〜Ｍ）のそれぞれに少なくとも一台が、居室（Ａ〜Ｍ）内の概ね床側に設置されている。この居室用検知センサ（12）が有害物質を検知すると、その検知結果はコントローラ（30）に送られる。
【００３４】
上記通路（Ｎ）は、通路換気ファン（21）と通路用検知センサ（22）とを備えている。
【００３５】
上記通路換気ファン（21）は、通路（Ｎ）内の換気を行う通路換気手段を構成している。通路換気ファン（21）は、給排気型の換気装置に構成され、通路（Ｎ）内に６台が設置されている。この通路換気ファン（21）は、コントローラ（30）に接続されてビルの外部の空気を通路（Ｎ）内に供給する給気動作と、通路（Ｎ）内の空気をビルの外部に排気する排気動作とを切り換えて行うよう構成されている。
【００３６】
上記通路用検知センサ（22）は、通路（Ｎ）内において所定の有害物質を検知する通路用検知手段を構成している。本実施形態に係る通路用検知センサ（22）は、上記居室用検知センサ（12）と同様に、有害物質を検知対象とし、通路（Ｎ）の概ね床側に６台設置されている。この通路用検知センサ（22）が有害物質を検知すると、その検知結果はコントローラ（30）に送られる。
【００３７】
上記コントローラ（30）は、図２に示すように、上記各居室（Ａ〜Ｍ）に設けられる居室換気ファン（11）、室内ユニット（10）および居室用検知センサ（12）と、上記通路（Ｎ）内に設けられる通路換気ファン（21）および通路用検知センサ（22）とに接続されている。コントローラ（30）は、上記居室用検知センサ（12）および通路用検知センサ（22）の有害物質の検知結果に基づいて、居室（Ａ〜Ｍ）内および通路（Ｎ）内の空調・換気を制御する制御手段を構成している。具体的に、居室用検知センサ（12）および通路用検知センサ（22）によって有害物質を検知すると、コントローラ（30）は、室内ユニット（10）の停止、居室換気ファン（11）の発停、通路換気ファン（21）の発停を制御する。
【００３８】
−運転動作−
次に本実施形態に係る空調システム（1）の有害物質拡散防止運転について説明する。この有害物質拡散防止運転は、空調システム（1）が通常運転中または停止中であっても、有害物質を検知することにより、室内ユニット（10）、居室換気ファン（11）または通路換気ファン（21）に対して強制的に所定の動作を行わせるものである。つまり、本実施形態に係る室内ユニット（10）、居室換気ファン（11）または通路換気ファン（21）の制御は、従来の空調システムにおける機器類の故障等を原因とする異常停止動作とは全く異なるものである。本実施形態の有害物質拡散防止運転では、居室用検知センサ（12）または通路用検知センサ（22）が有害物質を検知すると、コントローラ（30）が室内ユニット（10）、居室換気ファン（11）および通路換気ファン（21）を制御する。この制御は図３に示すフローチャートに基づいて行われる。
【００３９】
具体的に、本実施形態では、図４に示すように、居室（Ｍ）内で有害物質を検知した場合について説明する。まず、居室用検知センサ（12）または通路用検知センサ（22）が有害物質を検知する（Ｓ１）と、その検知結果がコントローラ（30）に送られる。コントローラ（30）は、検知結果に基づいて全ての居室（Ａ〜Ｍ）の稼働中の室内ユニット（10）を停止させる（Ｓ２）。
【００４０】
次に、コントローラ（30）は、居室（Ａ〜Ｍ）または通路（Ｎ）のいずれにおいて有害物質が検知されたかを判断する（Ｓ３）。
【００４１】
ここで、図４においては、居室（Ａ〜Ｍ）内で有害物質を検知した場合の有害物質拡散防止運転について説明する（Ｓ４〜Ｓ８・Ｓ１１）。居室用検知センサ（12）が有害物質を検知する（Ｓ３）と、コントローラ（30）は、全居室（Ａ〜Ｍ）のうち、いずれの居室において有害物質を検知したかを判断する（Ｓ４）。居室（Ｍ）内で有害物質を居室用検知センサ（12）（図４において黒塗りで表すセンサ）が検知すると、コントローラ（30）は、居室（Ｍ）内において、この居室用検知センサ（12）から最も近くにある居室換気ファン（11）を排気動作（図４における黒塗りの矢印で表す空気、以下同様）にする（Ｓ５）と共に、居室（Ｍ）内における他の居室換気ファン（11）を給気動作（図４における白塗りの矢印で表す空気、以下同様）にする（Ｓ６）。これにより、給気動作を行う居室換気ファン（11）によって居室（Ｍ）内に供給された空気が、排気動作を行う居室換気ファン（11）に向かって流れる。そして、排気動作を行う居室換気ファン（11）によって空気と共に有害物質が居室（Ｍ）の外部へ排気される。つまり、この空気流れにより、居室（Ｍ）内において有害物質が拡散されることなく、有害物質をフロアの外部に排出することができる。また、居室（Ｍ）以外の他の居室（Ａ〜Ｌ）では、全ての居室換気ファン（11）を給気動作にする（Ｓ７）。これにより、居室（Ａ〜Ｌ）内の空気圧力が、通路（Ｎ）内の空気圧力よりも高くなるため、仮に居室（Ｍ）内から通路（Ｎ）に有害物質が流出した場合でも、通路（Ｎ）から居室（Ａ〜Ｌ）内に有害物質が流入することはない。そして、通路（Ｎ）では、有害物質を検知した居室（Ｍ）の出入口（ｍ）のから最も近い通路換気ファン（21）を排気動作にする（Ｓ８）一方、他の通路換気ファン（21）を給気動作にする（Ｓ１１）。その後、所定の時間が経過するまで上記それぞれの動作を継続する。
【００４２】
−実施形態の効果−
上記本実施形態では、居室（Ｍ）内の居室用検知センサ（12）が有害物質を検知すると、有害物質を検知した居室用検知センサ（12）に最も近い居室換気ファン（11）が排気動作を行うようにした。このため、有害物質を居室（Ｍ）の外部へ排出することができる。また、居室（Ｍ）内の他の居室換気ファン（11）が給気動作を行うようにした。このため、給気動作で供給した空気を排気動作が行われる居室換気ファン（11）に向かって流すことができる。つまり、供給した空気の空気流れによって、居室（Ｍ）内で有害物質が拡散するのを防止することができる。また、上記居室（Ｍ）以外の居室（Ａ〜Ｌ）に設けられる居室換気ファン（11）を給気動作にした。このため、居室（Ｍ）以外の居室（Ａ〜Ｌ）内の空気圧力を通路（Ｎ）内の空気圧力よりも高くすることができる。つまり、居室（Ａ〜Ｌ）内が、いわゆる陽圧状態となるため、該居室（Ａ〜Ｌ）内に有害物質が流入するのを確実に防止することができる。
【００４３】
また、居室（Ｍ）内の居室用検知センサ（12）が有害物質を検知すると、有害物質を検知した居室（Ｍ）の出入口（ｍ）に最も近い通路換気ファン（21）が排気動作を行うようにした。このため、上記居室（Ｍ）から通路（Ｎ）内へ流出した有害物質を通路（Ｎ）の外部へ排出することができる。また、他の通路換気ファン（21）によって通路（Ｎ）内に空気を供給するようにした。このため、給気動作で供給した空気を排気動作が行われる通路換気ファン（21）に向かって流すことができる。つまり、供給した空気の空気流れによって、通路（Ｎ）内で有害物質が拡散するのを確実に防止することができる。これらにより、有害物質がフロア内で拡散するのを確実に防止することができる。
【００４４】
−変形例−
次に上記実施形態の変形例について説明する。本変形例では、上記実施形態と異なり、通路（Ｎ）において有害物質が検知された場合について説明する。
【００４５】
具体的には、図５に示すように、まず、居室用検知センサ（12）または通路用検知センサ（22）が有害物質を検知する（Ｓ１）と、その検知結果がコントローラ（30）に送られる。コントローラ（30）は検知結果に基づいて全ての居室（Ａ〜Ｍ）の稼働中の室内ユニット（10）を停止させる（Ｓ２）。
【００４６】
次に、コントローラ（30）は、居室（Ａ〜Ｍ）または通路（Ｎ）のいずれにおいて有害物質が検知されたかを判断する（Ｓ３）。
【００４７】
ここで、図５においては、通路（Ｎ）内で有害物質を検知した場合の有害物質拡散防止運転について説明する（Ｓ９〜Ｓ１１）。通路用検知センサ（22）が有害物質を検知する（Ｓ３）と、コントローラ（30）は全居室（Ａ〜Ｍ）の居室換気ファン（11）を給気動作（図５における白塗りの矢印で表す空気、以下同様）にする（Ｓ９）。これにより、居室（Ａ〜Ｍ）内の空気圧力が通路（Ｎ）内の空気圧力よりも高くなるため、通路（Ｎ）から居室（Ａ〜Ｍ）内に有害物質が流入することはない。そして、コントローラ（30）は、通路（Ｎ）において、有害物質を検知した通路用検知センサ（22）（図５において黒塗りで表すセンサ）から最も近くにある通路換気ファン（21）を排気動作（図５における黒塗りの矢印で表す空気、以下同様）にする（Ｓ１０）一方、通路（Ｎ）内における他の通路換気ファン（21）を給気動作にする（Ｓ１１）。これにより、給気動作を行う通路換気ファン（21）によって通路（Ｎ）内に供給された空気が、排気動作を行う通路換気ファン（21）に向かって流れる。そして、排気動作を行う通路換気ファン（21）によって空気と共に有害物質が通路（Ｎ）の外部へ排出される。つまり、この空気流れにより、通路（Ｎ）内において有害物質が拡散されることなく、有害物質をフロアの外部に排出することができる。
【００４８】
本変形例では、通路（Ｎ）内の通路用検知センサ（22）が有害物質を検知すると、有害物質を検知した通路用検知センサ（22）に最も近設する通路換気ファン（21）が排気動作を行うようにした。このため、通路（Ｎ）内の有害物質を外部へ排出することができる。また、通路（Ｎ）内の他の通路換気ファン（21）が給気動作を行うようにした。このため、給気動作で供給した空気を排気動作が行われる通路換気ファン（21）に向かって流すことができる。つまり、供給した空気の空気流れによって、通路（Ｎ）内で有害物質が拡散するのを確実に防止することができる。
【００４９】
また、通路用検知センサ（22）が通路（Ｎ）内で有害物質を検知すると、全ての居室換気ファン（11）を排気動作にした。このため、各居室（Ａ〜Ｍ）内の空気圧力を通路（Ｎ）内の空気圧力よりも高くすることができる。つまり、居室（Ａ〜Ｍ）内が、いわゆる陽圧状態となるため、該居室（Ａ〜Ｍ）内に有害物質が流入するのを確実に防止することができる。これらにより、有害物質がフロア内で拡散するのを確実に防止することができる。その他の構成・作用および効果は実施形態と同等である。
【００５０】
〈その他の実施形態〉
本発明は、上記実施形態について、以下のような構成としてもよい。
【００５１】
本実施形態では同一フロアの全ての居室の室内ユニット（10）を停止させたが、本発明は、例えばビル用の空調システム等においては全館の空調装置を全て停止させるようにしてもよい。
【００５２】
また、本実施形態では、居室（Ａ〜Ｍ）または通路（Ｎ）のいずれかにおいて有害物質を検知する場合について説明したが、本発明は、例えば居室（Ａ〜Ｍ）および通路（Ｎ）の両方で有害物質が検知される場合についても適用することができる。
【００５３】
尚、以上の実施形態は、本質的に好ましい例示であって、本発明、その適用物、あるいはその用途の範囲を制限することを意図するものではない。
【産業上の利用可能性】
【００５４】
以上説明したように、本発明は、建物内の有害物質の拡散防止対策について有用である。
【図面の簡単な説明】
【００５５】
【図１】本実施形態に係るフロアを示す概略水平断面図である。
【図２】本実施形態に係る空調システムを示す制御ブロック図である。
【図３】本実施形態に係る制御フローを示すフローチャート図である。
【図４】本実施形態に係る居室内での有害物質の発生を示すフロアの概略水平断面図である。
【図５】本実施形態に係る通路内での有害物質の発生を示すフロアの概略水平断面図である。
【符号の説明】
【００５６】
１０          室内ユニット
１１          居室換気ファン
１２          居室用検知センサ
２１          通路換気ファン
２２          通路用検知センサ
３０          コントローラ
【図１】
2010007925.tif 000003
【図２】
2010007925.tif 000004
【図３】
2010007925.tif 000005
【図４】
2010007925.tif 000006
【図５】
2010007925.tif 000007